(57)【要約】【課題】ユーザーが素早く音量を変更でき、また、ユーザーが意図しない大きな音声が発生することを防止すること。【解決手段】制御部２は、通常領域を超えた制限領域へのターゲット２３の移動を受け付けた場合に、通常領域において、移動を受け付けたターゲット２３の移動速度でツマミ２２を移動させる。そして、制御部２は、制限領域の下限からツマミ２２の移動目標位置であるターゲット２３まで、通常領域を制限領域側に所定の速度で拡大させながら、制限領域の下限とともにツマミ２２を制限領域の拡大速度と同じ所定の速度で移動させる。【選択図】図４
2017175397.tif 000002
【特許請求の範囲】
【請求項１】
表示部と、
前記表示部と連動したタッチパネルと、
制御部と、を備え、
前記制御部は、
音量値を示すツマミを含むスライドバーを前記表示部に表示し、
前記タッチパネルにより、前記ツマミの移動目標位置であるターゲットの移動を受け付け、
音声信号の音量を前記ツマミの位置に対応する音量値に調整し、
前記ツマミが自由に移動可能な通常領域を超えた、前記ツマミが下限以上に移動不可能な制限領域への前記ターゲットの移動を受け付けた場合に、前記通常領域において、移動を受け付けた前記ターゲットの移動速度で前記ツマミを移動させ、
前記制限領域の下限から前記ターゲットまで、前記通常領域を前記制限領域側に所定の速度で拡大させながら、前記制限領域の下限とともに前記ツマミを前記制限領域の拡大速度と同じ前記所定の速度で移動させることを特徴とする音量調整装置。
【請求項２】
前記所定の速度は、前記制御部が移動を受け付けた前記ターゲットの移動速度よりも遅いことを特徴とする請求項１に記載の音量調整装置。
【請求項３】
前記制御部は、前記ツマミを前記ターゲットまで移動させた後、前記通常領域を前記制限領域側に、所定の領域、拡大させることを特徴とする請求項１又は２に記載の音量調整装置。
【請求項４】
前記制御部は、
前記タッチパネルにより、前記ツマミへの接触を検出し、検出した接触の移動を、前記ターゲットの移動として受け付け、
前記通常領域を超えた前記制限領域への前記ターゲットの移動を受け付けた場合に、前記ターゲットへの接触を検出し続けていれば、前記ターゲットまで、前記通常領域を前記制限領域側に前記所定の速度で拡大させながら、前記ツマミを前記所定の速度で移動させることを特徴とする請求項１〜３のいずれか１項に記載の音量調整装置。
【請求項５】
前記制御部は、
前記通常領域を超えた前記制限領域への前記ターゲットの移動を受け付けた場合に、前記ターゲットまで前記ツマミを移動させる前に、前記ターゲットへの接触を検出しなくなったとき、前記通常領域の拡大、及び、前記ツマミの移動を停止することを特徴とする請求項４に記載の音量調整装置。
【請求項６】
前記制御部は、
前記通常領域を超えた前記制限領域への前記ターゲットの移動を受け付けた後、前記制限領域から前記通常領域への前記ターゲットの移動を受け付けた場合に、前記通常領域の拡大を停止し、前記ツマミを前記通常領域内の前記ターゲットまで移動させることを特徴とする請求項１〜５のいずれか１項に記載の音量調整装置。
【請求項７】
前記制御部は、
前記通常領域内の前記ツマミの位置と、停止した前記制限領域の下限と、の距離が、所定の領域に対応する距離未満である場合に、前記通常領域を前記制限領域側に、所定の領域、拡大させることを特徴とする請求項６に記載の音量調整装置。
【請求項８】
前記制御部は、
前記ツマミの移動後、所定の時間経過した後、前記通常領域内の前記ツマミの位置と、前記制御領域の下限と、の距離が、所定の領域に対応する距離以上である場合に、前記制限領域を前記通常領域側に拡大させることを特徴とする請求項１〜７のいずれか１項に記載の音量調整装置。
【請求項９】
前記制御部は、
前記通常領域内のツマミの位置と、前記制限領域の下限と、の距離が、前記所定の領域に対応する距離となる位置まで、前記制限領域を前記通常領域側に拡大させることを特徴とする請求項８に記載の音量調整装置。
【請求項１０】
前記制御部は、
前記制限領域の下限の限界値の設定を受け付け、設定を受け付けた前記限界値未満に、前記制限領域の下限を下げないことを特徴とする請求項８又は９に記載の音量調整装置。
【請求項１１】
外部装置と通信するための通信部をさらに備え、
前記制御部は、移動した前記ツマミの位置に対応する音量値を、前記外部装置に送信することで、前記外部装置から出力される音声信号の音量を調整することを特徴とする請求項１〜１０のいずれか１項に記載の音量調整装置。
【請求項１２】
表示部と、
前記表示部と連動したタッチパネルと、
制御部と、を備えるコンピュータの前記制御部に、
音量値を示すツマミを含むスライドバーの前記表示部への表示、
前記タッチパネルによる、前記ツマミの移動目標位置であるターゲットの移動の受け付け、
音声信号の音量の、前記ツマミの位置に対応する音量値への調整、
前記ツマミが自由に移動可能な通常領域を超えた、下限以上に前記ツマミが移動不可能な制限領域への前記ターゲットの移動を受け付けた場合に、前記通常領域において、移動を受け付けた前記ターゲットの移動速度での前記ツマミの移動、
前記制限領域の下限から前記ターゲットまで、前記通常領域を前記制限領域側に所定の速度で拡大させながら、前記制限領域の下限とともに前記制限領域の拡大速度と同じ前記所定の速度での前記ツマミの移動、
を実行させることを特徴とする音量調整プログラム。
【発明の詳細な説明】
【技術分野】
【０００１】
本発明は、音声信号の音量を調整するための音量調整装置、及び、音量調整プログラムに関する。
【背景技術】
【０００２】
スマートフォンやタブレットＰＣ等を、音声信号の音量を調整するための音量調整装置として機能させる音量調整プログラムがある。例えば、音量調整プログラムは、スマートフォンからＡＶレシーバーを操作するためのコントロールプログラムに組み込まれている。コントロールプログラムがインストールされたスマートフォンは、ＡＶレシーバーと無線通信し、ＡＶレシーバーを制御する。例えば、スマートフォンは、ＡＶレシーバーからスピーカーに出力される音声信号の音量を調整するため、表示部にスライドバーを表示する。
【０００３】
図１２は、従来のスライドバーが表示部に表示された例を示している。スマートフォンは、表示部と連動したタッチパネルにより、ツマミ１００の移動を受け付ける。ツマミの位置が音量値を示している。スマートフォンは、ツマミの操作に対応した音量値をＡＶレシーバーに送信する。この従来例では、ユーザーがツマミを誤って操作した場合、即座にＡＶレシーバーから出力される音声の音量も変化する。このため、ユーザーが意図しない大きな音声が発生する可能性がある。
【０００４】
上述の問題を解決するため、特許文献１に記載の装置では、図１３に示すように、２つのツマミ１０１、１０２を表示部に表示する。一方のツマミ１０１は、ユーザーが操作可能なツマミである。他方のツマミ１０２は、音量値を示すツマミである。ユーザーがツマミ１０１を操作すると、ツマミ１０１は、ユーザーの操作に従って移動する。ツマミ１０２は、ユーザーの操作に従って移動するツマミ１０１にある速度で追従する。ユーザーがツマミ１０１の操作後、ツマミ１０１を触ったままの状態にし、ツマミ１０２がツマミ１０１の位置まで到達すると、ユーザーが要求する音量になる。ユーザーがツマミ１０１の操作後、ツマミ１０２がツマミ１０１の位置に到達する前に、ツマミ１０１から指を離すと、ツマミ１０１は、音量値を示すツマミ１０２まで戻る。これにより、ユーザーが誤ってツマミ１０１を大きく動かしても、即座に大きな音が出ることが防止される。
【先行技術文献】
【特許文献】
【０００５】
【特許文献１】特許第３８０６６１０号公報
【発明の概要】
【発明が解決しようとする課題】
【０００６】
特許文献１に記載の装置では、常に、音量の増加速度が遅いため、ユーザーが素早く音量を変更したい場合に対応できないという問題がある。
【０００７】
本発明の目的は、ユーザーが素早く音量を変更でき、また、ユーザーが意図しない大きな音声が発生することを防止することである。
【課題を解決するための手段】
【０００８】
第１の発明の音量調整装置は、表示部と、前記表示部と連動したタッチパネルと、制御部と、を備え、前記制御部は、音量値を示すツマミを含むスライドバーを前記表示部に表示し、前記タッチパネルにより、前記ツマミの移動目標位置であるターゲットの移動を受け付け、音声信号の音量を前記ツマミの位置に対応する音量値に調整し、前記ツマミが自由に移動可能な通常領域を超えた、下限以上に前記ツマミが移動不可能な制限領域への前記ターゲットの移動を受け付けた場合に、前記通常領域において、移動を受け付けた前記ターゲットの移動速度で前記ツマミを移動させ、前記制限領域の下限から前記ターゲットまで、前記通常領域を前記制限領域側に所定の速度で拡大させながら、前記制限領域の下限とともに前記ツマミを前記制限領域の拡大速度と同じ前記所定の速度で移動させることを特徴とする。
【０００９】
本発明では、制御部は、通常領域を超えた制限領域へのツマミの移動目標位置であるターゲットの移動を受け付けた場合に、通常領域において、移動を受け付けたターゲットの移動速度でツマミを移動させる。これにより、ユーザーは、通常領域においては、素早く音量を変更することができる。また、制御部は、制限領域の下限からターゲットまで、通常領域を制限領域側に所定の速度で拡大させながら、制限領域の下限とともにツマミを制限領域の拡大速度と同じ所定の速度で移動させる。これにより、ユーザーが意図しない大きな音声が発生することが防止される。
【００１０】
第２の発明の音量調整装置は、第１の発明の音量調整装置において、前記所定の速度は、前記制御部が移動を受け付けた前記ターゲットの移動速度よりも遅いことを特徴とする。
【００１１】
本発明では、制御部は、制限領域の下限からターゲットまで、移動を受け付けたターゲットの移動速度よりも遅い所定の速度でツマミを移動させる。これにより、音量値の変化が遅くなるため、ユーザーが意図しない大きな音声が発生することが防止される。
【００１２】
第３の発明の音量調整装置は、第１又は第２の発明の音量調整装置において、前記制御部は、前記ツマミを前記ターゲットまで移動させた後、前記通常領域を前記制限領域側に、所定の領域、拡大させることを特徴とする。
【００１３】
本発明では、制御部は、ツマミをターゲットまで移動させた後、通常領域を制限領域側に、所定の領域、拡大させる。これにより、ユーザーは、所定の領域分、制限領域側へツマミを素早く移動させることができる。
【００１４】
第４の発明の音量調整装置は、第１〜第３の発明のいずれかの音量調整装置において、前記制御部は、前記タッチパネルにより、前記ツマミへの接触を検出し、検出した接触の移動を、前記ターゲットの移動として受け付け、前記通常領域を超えた前記制限領域への前記ターゲットの移動を受け付けた場合に、前記ターゲットへの接触を検出し続けていれば、前記ターゲットまで、前記通常領域を前記制限領域側に前記所定の速度で拡大させながら、前記制限領域の下限とともに前記ツマミを前記所定の速度で移動させることを特徴とする。
【００１５】
本発明では、制御部は、通常領域を超えた制限領域へのターゲットの移動を受け付けた場合に、ターゲットへの接触を検出し続けていれば、ターゲットまで、通常領域を制限領域側に所定の速度で拡大させながら、制限領域の下限とともにツマミを所定の速度で移動させる。これにより、ユーザーは、制限領域へターゲットを移動させた後、ツマミが、ターゲットに到達するまで、タッチパネルを触り続けていれば、ツマミをターゲットに移動させ、所望の音量値を指示することができる。
【００１６】
第５の発明の音量調整装置は、第４の発明の音量調整装置において、前記制御部は、前記通常領域を超えた前記制限領域への前記ターゲットの移動を受け付けた場合に、前記ターゲットまで前記ツマミを移動させる前に、前記ターゲットへの接触を検出しなくなったとき、前記通常領域の拡大、及び、前記ツマミの移動を停止することを特徴とする。
【００１７】
本発明では、制御部は、通常領域を超えた制限領域へのターゲットの移動を受け付けた場合に、ターゲットまでツマミを移動させる前に、ターゲットへの接触を検出しなくなったとき、通常領域の拡大、及び、ツマミの移動を停止する。これにより、ユーザーは、例えば、意図せず大きい音量値を指示した場合、タッチパネルから指を離すことで、音量値を抑えることができる。
【００１８】
第６の発明の音量調整装置は、第１〜第５の発明のいずれかの音量調整装置において、前記制御部は、前記通常領域を超えた前記制限領域への前記ターゲットの移動を受け付けた後、前記制限領域から前記通常領域への前記ターゲットの移動を受け付けた場合に、前記通常領域の拡大を停止し、前記ツマミを前記通常領域内の前記ターゲットまで移動させることを特徴とする。
【００１９】
第７の発明の音量調整装置は、第６の発明の音量調整装置において、前記制御部は、前記通常領域内の前記ツマミの位置と、停止した前記制限領域の下限と、の距離が、所定の領域に対応する距離未満である場合に、前記通常領域を前記制限領域側に、所定の領域、拡大させることを特徴とする。
【００２０】
第８の発明の音量調整装置は、第１〜第７の発明のいずれかの音量調整装置において、前記制御部は、前記ツマミの移動後、所定の時間経過した後、前記通常領域内の前記ツマミの位置と、前記制御領域の下限と、の距離が、所定の領域に対応する距離以上である場合に、前記制限領域を前記通常領域側に拡大させることを特徴とする。
【００２１】
本発明では、制御部は、ツマミの移動後、所定の時間経過した後、通常領域内のツマミの位置と、制御領域の下限と、の距離が、所定の領域に対応する距離以上である場合に、制限領域を通常領域側に拡大させる。これにより、現在利用中の音量以上で、ユーザーが意図しない大きな音声が発生することが防止される。
【００２２】
第９の発明の音量調整装置は、第８の発明の音量調整装置において、前記制御部は、前記通常領域内のツマミの位置と、前記制限領域の下限と、の距離が、前記所定の領域に対応する距離となる位置まで、前記制限領域を前記通常領域側に拡大させることを特徴とする。
【００２３】
本発明では、制御部は、通常領域内のツマミの位置と、制限領域の下限と、の距離が、所定の領域に対応する距離となる位置まで、制限領域を通常領域側に拡大させる。これにより、ユーザーは、現在利用中の音量から、所定の領域分、制限領域側へツマミを素早く移動させることができる。
【００２４】
第１０の発明の音量調整装置は、第８又は第９の発明の音量調整装置において、前記制御部は、前記制限領域の下限の限界値の設定を受け付け、設定を受け付けた前記限界値未満に、前記制御領域の下限を下げないことを特徴とする。
【００２５】
本発明では、制御部は、制限領域の下限の限界値の設定を受け付け、設定を受け付けた限界値未満に、制限領域の下限を下げない。これにより、限界値未満の領域では、制限領域側へツマミを素早く移動させることができる。
【００２６】
第１１の発明の音量調整装置は、第１〜第１０の発明のいずれかの音量調整装置において、外部装置と通信するための通信部をさらに備え、前記制御部は、移動した前記ツマミの位置に対応する音量値を、前記外部装置に送信することで、前記外部装置から出力される音声信号の音量を調整することを特徴とする。
【００２７】
本発明では、制御部は、移動したツマミの位置に対応する音量値を、外部装置に送信することで、外部装置から出力される音声信号の音量を調整する。これにより、ユーザーは、音量調整装置により、外部装置から出力される音声信号の音量値を指示することができる。
【００２８】
第１２の発明の音量調整プログラムは、表示部と、前記表示部と連動したタッチパネルと、制御部と、を備えるコンピュータの前記制御部に、音量値を示すツマミを含むスライドバーの前記表示部への表示、前記タッチパネルによる、前記ツマミの移動目標位置であるターゲットの移動の受け付け、音声信号の音量の、前記ツマミの位置に対応する音量値への調整、前記ツマミが自由に移動可能な通常領域を超えた、下限以上に前記ツマミが移動不可能な制限領域への前記ターゲットの移動を受け付けた場合に、前記通常領域において、移動を受け付けた前記ターゲットの移動速度での前記ツマミの移動、前記制限領域の下限から前記ターゲットまで、前記通常領域を前記制限領域側に所定の速度で拡大させながら、前記制限領域の下限とともに前記制限領域の拡大速度と同じ前記所定の速度での前記ツマミの移動、を実行させることを特徴とする。
【発明の効果】
【００２９】
本発明によれば、ユーザーは、素早く音量を変更することができる。また、ユーザーが意図しない大きな音声が発生することが防止される。
【図面の簡単な説明】
【００３０】
【図１】本発明の実施形態に係るスマートフォン等の構成を示すブロック図である。
【図２】スライドバーを示す図である。
【図３】スライドバーの動作を示す図である。
【図４】スライドバーの動作を示す図である。
【図５】スライドバーの動作を示す図である。
【図６】スライドバーの動作を示す図である。
【図７】スライドバーの動作を示す図である。
【図８】スライドバーの動作を示す図である
【図９】スライドバーの動作を示す図である
【図１０】音量値を調整する場合のスマートフォンの処理動作を示すフローチャートである。
【図１１】アイドル時のスマートフォンの処理動作を示すフローチャートである。
【図１２】従来のスライドバーを示す図である。
【図１３】従来のスライドバーを示す図である。
【発明を実施するための形態】
【００３１】
以下、本発明の実施形態について説明する。図１は、本発明の実施形態に係るスマートフォン等の構成を示すブロック図である。スマートフォン１（音量調整装置）は、記憶部３に記憶されているコントロールプログラムＰ（音量調整プログラム）が実行されることにより、ＡＶレシーバー１１（外部装置）を制御する。
【００３２】
スマートフォン１は、制御部２、記憶部３、表示部４、操作部５、スピーカー６、ネットワークインターフェース（以下、「ＮＷ  Ｉ／Ｆ」という。）７、無線モジュール８を備えている。
【００３３】
制御部２は、制御プログラム、ＯＳプログラム、コントロールプログラムＰを含むアプリケーションプログラムに従って、スマートフォン１を構成する各部を制御する。また、制御部２は、コントロールプログラムＰに従って、ＡＶレシーバー１１を制御する。制御部２がコントロールプログラムＰに従って実行する処理については、後述する。
【００３４】
記憶部３は、制御部２の主メモリとして機能するＲＡＭ（Random Access Memory）、制御プログラムを記憶するＲＯＭ（Read Only Memory）、ＯＳプログラムやコントロールプログラムＰを含むアプリケーションプログラム等のプログラム、デジタルオーディオデータ等の各種データを記憶するフラッシュメモリから構成されている。なお、記憶部３は、例示する構成に限られず、ＨＤＤ（Hard Disk Drive）等を含んでいてもよい。また、コントロールプログラムＰは、工場出荷時に記憶部３に記憶されていてもよいし、後述するＮＷ  Ｉ／Ｆ７を介して、図示しないサーバーからダウンロードされ、記憶部３に記憶されていてもよい。
【００３５】
表示部４は、種々の画像（静止画像、動画像を含む）を表示するものであり、液晶パネルにより構成されている。操作部５は、各種設定を行うための操作キー、及び、表示部４と連動したタッチパネル９を備えている。ユーザーは、操作部５を介して、電話番号やメールアドレス等の各種の文字入力、通信設定などを行うことが可能である。スピーカー６は、制御部２から出力されるオーディオデータに基づいて、音楽等の種々の音声を出力する。ＮＷ  Ｉ／Ｆ７は、図示しない携帯電話網および携帯基地局を介してインターネットに接続可能なように構成されている。スマートフォン１は、ＮＷ  Ｉ／Ｆ７を介して、他の端末との通話、通信等を行うことが可能である。
【００３６】
無線モジュール８（通信部）は、Ｂｌｕｅｔｏｏｔｈ（登録商標）規格、Ｗｉ−Ｆｉ規格に従った無線通信を行うためのものである。スマートフォン１は、無線モジュール８を介して、ＡＶレシーバー１１と無線通信を行うことができる。
【００３７】
以下、制御部２がコントロールプログラムＰに従って実行する処理について説明する。図２に示すように、制御部２は、音量値を示すツマミ２２を含むスライドバー２１を表示部４に表示する。なお、表示部４には、スライドバー２１の他、再生画面も表示されるが、ここでは、スライドバー２１についてのみ説明する。スライドバー２１において、左端が音量の最小値である。右端が音量の最大値である。ユーザーは、ツマミ２２に指を置いて、ツマミ２２を左右に動かすことにより、スマートフォン１に所望の音量値を指示することが可能である。制御部２は、タッチパネル９により、ツマミ２２の移動目標位置であるターゲット２３（図３等参照）の移動を受け付ける。具体的には、制御部２は、タッチパネル９により、ツマミ２２への接触を検出する。制御部２は、検出した接触の移動を、ターゲット２３の移動として受け付ける。なお、図においては、ターゲット２３を表しているが、ターゲット２３は、表示部４には表示されない。
【００３８】
制御部２は、音声信号の音量をツマミ２２の位置に対応する音量値に調整する。具体的には、制御部２は、移動したツマミ２２の位置に対応する音量値を、ＡＶレシーバー１１に送信することで、ＡＶレシーバー１１から出力される音声信号の音量を調整する。
【００３９】
スライドバー２１は、通常領域と、制限領域と、を含む。左側が通常領域である。右側が制限領域である。通常領域は、ツマミ２２が自由に移動可能な領域である。また、通常領域は、ターゲット２３の移動を受け付けているのと同じ速度でツマミ２２が移動する領域である。言い換えれば、ユーザーの指の移動速度でツマミ２２が移動する領域である。例えば、図３に示すように、制御部２は、通常領域内でのターゲット２３の移動を受け付けた場合、ツマミ２２の移動目標位置であるターゲット２３（破線の円で示された位置）まで、移動を受け付けたターゲット２３の移動速度でツマミ２２を移動させる。言い換えれば、制御部２は、ユーザーの指の移動速度でツマミ２２を移動させる。なお、図３〜図９では、図面の簡単のため、一部の符号を省略している。
【００４０】
制限領域は、ツマミ２２が下限以上に移動不可能な領域である。すなわち、ツマミ２２は、制限領域の下限（通常領域の上限）以上に移動することはない。
【００４１】
図４に示すように、制御部２が、通常領域を超えた制限領域へのターゲット２３の移動を受け付けた場合について説明する。ターゲット２３が、図４に示す破線の円で示された位置まで移動されたとする。この場合、制御部２は、通常領域を超えた制限領域へのターゲット２３の移動を受け付ける。通常領域においては、制御部２は、移動を受け付けたターゲット２３の移動速度でツマミ２２を移動させる。言い換えれば、制御部２は、ユーザーの指の移動速度でツマミ２２を移動させる。
【００４２】
制御部２は、制限領域の下限（通常領域の上限）からツマミ２２の移動目標位置であるターゲット２３（破線の円で示された位置）までは、通常領域を制限領域側に所定の速度で拡大させながら、制限領域の下限とともにツマミ２２を制限領域の拡大速度と同じ所定の速度で移動させる。すなわち、制御部２は、ツマミ２２を制限領域の下限に張り付つかせて、ツマミ２２を所定の速度で移動させる。従って、ツマミ２２は、制限領域の下限を超えることなく、制限領域の下限とともに、通常領域側に移動する。また、制御部２は、移動を受け付けたターゲット２３の移動速度よりも遅い所定の速度でツマミ２２移動させる。すなわち、ツマミ２２は、通常領域を超えると、ユーザーの指と離れて移動することとなり、ツマミ２２とターゲット２３とは異なる位置にある。
【００４３】
制御部２は、ツマミ２２をターゲット２３まで移動させた後、通常領域を制限領域側に、所定の領域、拡大させる。言い換えれば、制御部２は、制限領域の下限を、制限領域の上限側に移動させる。これにより、ユーザーは、所定の領域分、制限領域側へツマミ２２を素早く移動させることができる。
【００４４】
ここで、制御部２は、通常領域を超えた制限領域へのターゲット２３の移動を受け付けた場合に、ターゲット２３への接触を検出し続けていれば、すなわち、指がターゲット２３（タッチパネル９）に接触されていれば、ターゲット２３まで、通常領域を制限領域側に所定の速度で拡大させながら、制限領域の下限とともにツマミ２２を所定の速度で移動させる。ユーザーは、制限領域へターゲット２３を移動させた後、ツマミ２２が、ターゲット２３（指の位置）に到達するまで、タッチパネル９を触り続けていれば、ツマミ２２をターゲット２３に移動させ、所望の音量値を指示することができる。
【００４５】
一方で、制御部２は、通常領域を超えた制限領域へのターゲット２３の移動を受け付けた場合に、ターゲット２３までツマミ２２を移動させる前に、ターゲット２３への接触を検出しなくなったとき、すなわち、指がターゲット２３（タッチパネル９）から離れたとき、図５に示すように、制限領域の拡大、及び、ツマミ２２の移動を停止する。そして、制御部２は、通常領域を制限領域側に、所定の領域、拡大させる。ユーザーは、例えば、意図せず大きい音量値を指示した場合、タッチパネル９から指を離すことで、音量値を抑えることができる。
【００４６】
ユーザーが、ターゲット２３を通常領域を超えて制限領域に移動させた後、音量値を減少させる方向へターゲット２３を制限領域から通常領域に移動させた場合について説明する。制御部２は、図６に示すように、通常領域を超えた制限領域へのターゲット２３の移動を受け付けた後、制限領域から通常領域へのターゲット２３の移動を受け付けた場合に、制限領域の拡大を停止する。また、制御部２は、ツマミ２２を通常領域内のターゲット２３まで移動させる。
【００４７】
ここで、制御部２は、図７に示すように、通常領域内のツマミ２２の位置と、停止した制限領域の下限と、の距離が、所定の領域に対応する距離未満である場合に、通常領域を制限領域側に、所定の領域、拡大させる。これにより、ユーザーは、所定の領域分、制限領域側へツマミ２２を素早く移動させることができる。
【００４８】
また、制御部２は、図８に示すように、ツマミの移動後、所定の時間経過した後、通常領域内のツマミ２２の位置と、制御領域の下限と、の距離が、所定の領域に対応する距離以上である場合に、制限領域を通常領域側に拡大させる。具体的には、制御部２は、通常領域内のツマミ２２の位置と、制限領域の下限と、の距離が、所定の領域に対応する距離となる位置まで、制限領域を通常領域側に拡大させる。
【００４９】
また、制御部２は、制限領域の下限の限界値の設定を受け付ける。そして、制御部２は、図９に示すように、設定を受け付けた限界値未満に、制御領域の下限を下げない。
【００５０】
次に、音量値を調整する場合のスマートフォン１の処理動作を、図１０に示すフローチャートに基づいて説明する。制御部２は、ツマミ２２への接触、及び、接触の移動を検出すると、ツマミ２２の移動目標位置であるターゲット２３が制限領域の下限未満であるか、すなわち、ターゲット２３が通常領域内であるか否かを判断する（Ｓ１）。制御部２は、ターゲット２３が制限領域の下限未満である、すなわち、ターゲット２３が通常領域内であると判断した場合（Ｓ１：Ｙｅｓ）、ターゲット２３まで、移動を受け付けたターゲット２３の移動速度でツマミ２２を移動させる（Ｓ２）。次に、制御部２は、ツマミ２２の位置に対応する音量値をＡＶレシーバー１１に送信する（Ｓ３）。
【００５１】
制御部２は、ターゲット２３が制限領域の下限未満ではない、すなわち、ターゲットが通常領域外であると判断した場合（Ｓ１：Ｎｏ）、制限領域の下限まで、移動を受け付けたターゲット２３の移動速度でツマミ２２を移動させる（Ｓ４）。次に、制御部２は、ツマミ２２の位置に対応する音量値をＡＶレシーバー１１に送信する（Ｓ５）。次に、制御部２は、ツマミ２２、及び、制限領域の下限を制限領域の上限（音量値最大）方向へ所定の速度で移動させる（Ｓ６）。言い換えれば、制御部２は、通常領域を制限領域側に所定の速度で拡大させながら、制限領域の下限とともにツマミ２２を制限領域の上限方向へ制限領域の拡大速度と同じ所定の速度で移動させる。次に、制御部２は、ターゲット２３への接触を検出していないか否かを判断する（Ｓ７）。言い換えれば、制御部２は、ターゲット２３から指が離れたか否かを判断する。
【００５２】
制御部２は、ターゲット２３への接触を検出していると判断した場合（Ｓ７：Ｎｏ）、ツマミ２２をターゲット２３まで移動させたか否かを判断する（Ｓ８）。制御部２は、ツマミ２２をターゲットまで移動させていないと判断した場合（Ｓ８：Ｎｏ）、Ｓ１の処理に戻る。制御部２は、ツマミ２２をターゲット２３まで移動させたと判断した場合（Ｓ８：Ｙｅｓ）、通常領域を制限領域側に、所定の領域、拡大させたか否かを判断する（Ｓ９）。制御部２は、通常領域を、制限領域側に、所定の領域、拡大させていないと判断した場合（Ｓ９：Ｎｏ）、制限領域の下限を、制限領域の上限方向へ所定の速度で移動させる（Ｓ１０）。言い換えれば、制御部２は、通常領域を制限領域側に、所定の速度で拡大させる。
【００５３】
制御部２は、通常領域を制限領域側に、所定の領域、拡大させたと判断した場合（Ｓ９：Ｙｅｓ）、処理を終了する。また、制御部２は、ターゲット２３への接触を検出していないと判断した場合（Ｓ７：Ｙｅｓ）、Ｓ９の処理を実行する。すなわち、制御部２は、ツマミ２２、及び、制限領域の下限の移動を停止する。また、制御部２は、Ｓ３の処理の後、Ｓ９の処理を実行する。
【００５４】
次に、アイドル時のスマートフォン１の処理動作を図１１に示すフローチャートに基づいて説明する。制御部２は、ツマミ２２の移動完了後、所定の時間経過したか否かを判断する（Ｓ１１）。制御部２は、所定の時間経過していないと判断している間（Ｓ１１：Ｎｏ）、Ｓ１１の処理を繰り返し実行する。制御部２は、所定の時間経過したと判断した場合（Ｓ１１：Ｙｅｓ）、ツマミ２２の位置と、制限領域の下限と、の距離が、所定の領域に対応する距離以上であるか否か、又は、制限領域の下限が、限界値以上であるか否かを判断する（Ｓ１２）。制御部２は、ツマミ２２の位置と、制限領域の下限と、の距離が、所定の領域に対応する距離以上である、又は、制限領域の下限が、限界値以上であると判断した場合（Ｓ１２：Ｙｅｓ）、制限領域を通常領域側に所定の速度で拡大させる（Ｓ１３）。一方、制御部２は、ツマミ２２の位置と、制限領域の下限と、の距離が、所定の領域に対応する距離以上でない、又は、制限領域の下限が、限界値以上でないと判断した場合（Ｓ１２：Ｎｏ）、処理を終了する。
【００５５】
以上説明したように、本実施形態では、制御部２は、通常領域を超えた制限領域へのターゲット２３の移動を受け付けた場合に、通常領域において、移動を受け付けたターゲット２３の移動速度でツマミ２２を移動させる。これにより、ユーザーは、通常領域においては、素早く音量を変更することができる。また、制御部２は、制限領域の下限からツマミ２２の移動目標位置であるターゲット２３まで、通常領域を制限領域側に所定の速度で拡大させながら、制限領域の下限とともにツマミ２２を制限領域の拡大速度と同じ所定の速度で移動させる。これにより、ユーザーが意図しない大きな音声が発生することが防止される。
【００５６】
また、本実施形態では、制御部２は、制限領域の下限からターゲットまで、移動を受け付けたターゲット２３の移動速度よりも遅い所定の速度でツマミ２２を移動させる。これにより、音量値の変化が遅くなるため、ユーザーが意図しない大きな音声が発生することが防止される。
【００５７】
また、本実施形態では、制御部２は、ツマミ２２をターゲット２３まで移動させた後、通常領域を制限領域側に、所定の領域、拡大させる。これにより、ユーザーは、所定の領域分、制限領域側へツマミ２２を素早く移動させることができる。
【００５８】
また、本実施形態では、制御部２は、通常領域を超えた制限領域へのターゲット２３の移動を受け付けた場合に、ターゲット２３への接触を検出し続けていれば、ターゲット２３まで、通常領域を制限領域側に所定の速度で拡大させながら、制限領域の下限とともにツマミ２２を所定の速度で移動させる。これにより、ユーザーは、制限領域へターゲット２３を移動させた後、ツマミ２２が、ターゲット２３に到達するまで、タッチパネル９を触り続けていれば、ツマミ２２をターゲット２３に移動させ、所望の音量値を指示することができる。
【００５９】
また、本実施形態では、制御部２は、通常領域を超えた制限領域へのターゲット２３の移動を受け付けた場合に、ターゲット２３までツマミ２２を移動させる前に、ターゲット２３への接触を検出しなくなったとき、通常領域の拡大、及び、ツマミ２２の移動を停止する。これにより、ユーザーは、例えば、意図せず大きい音量値を指示した場合、タッチパネル９から指を離すことで、音量値を抑えることができる。
【００６０】
また、本実施形態では、制御部２は、ツマミ２２の移動後、所定の時間経過した後、通常領域内のツマミ２２の位置と、制御領域の下限と、の距離が、所定の領域に対応する距離以上である場合に、制限領域を通常領域側に拡大させる。これにより、現在利用中の音量以上で、ユーザーが意図しない大きな音声が発生することが防止される。
【００６１】
また、本実施形態では、制御部２は、通常領域内のツマミ２２の位置と、制限領域の下限と、の距離が、所定の領域に対応する距離となる位置まで、制限領域を通常領域側に拡大させる。これにより、ユーザーは、現在利用中の音量から、所定の領域分、制限領域側へツマミを素早く移動させることができる。
【００６２】
また、本実施形態では、制御部２は、制限領域の下限の限界値の設定を受け付け、設定を受け付けた限界値未満に、制限領域の下限を下げない。これにより、限界値未満の領域では、制限領域側へツマミ２２を素早く移動させることができる。
【００６３】
また、本実施形態では、制御部２は、移動したツマミ２２の位置に対応する音量値を、ＡＶレシーバー１１に送信することで、ＡＶレシーバー１１から出力される音声信号の音量を調整する。これにより、ユーザーは、スマートフォン１により、ＡＶレシーバー１１から出力される音声信号の音量値を指示することができる。
【００６４】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００６５】
上述の実施形態においては、制御部２は、移動したツマミ２２の位置に対応する音量値を、ＡＶレシーバー１１に送信する。これに限らず、制御部２は、スマートフォン１から出力される音声信号の音量を、移動したツマミ２２の位置に対応する音量値に調整するようになっていてもよい。
【００６６】
上述の実施形態においては、スマートフォンにコントロールプログラムがインストールされており、スマートフォンによりＡＶレシーバーを制御する場合について説明した。これに限らず、タブレットＰＣ、フィーチャーフォン、携帯ゲーム機等にコントロールプログラムがインストールされていてもよい。
【００６７】
上述の実施形態では、外部装置として、ＡＶレシーバーを例示した。これに限らず、テレビ、ＣＤプレーヤー、Ｂｌｕ−ｒａｙ（登録商標） Ｄｉｓｃプレーヤー等であってもよい。
【産業上の利用可能性】
【００６８】
本発明は、音声信号の音量を調整するための音量調整装置、及び、音量調整プログラムに採用され得る。
【符号の説明】
【００６９】
１  スマートフォン（音量調整装置）
２  制御部
４  表示部
５  操作部
８  無線モジュール（通信部）
９  タッチパネル
１１  ＡＶレシーバー（外部装置）
２１  スライドバー
２２  ツマミ
２３  ターゲット
Ｐ  コントロールプログラム（音量調整プログラム）
【図１】
2017175397.tif 000003
【図２】
2017175397.tif 000004
【図３】
2017175397.tif 000005
【図４】
2017175397.tif 000006
【図５】
2017175397.tif 000007
【図６】
2017175397.tif 000008
【図７】
2017175397.tif 000009
【図８】
2017175397.tif 000010
【図９】
2017175397.tif 000011
【図１０】
2017175397.tif 000012
【図１１】
2017175397.tif 000013
【図１２】
2017175397.tif 000014
【図１３】
2017175397.tif 000015